(57)【要約】【課題】オルソケラトロジーレンズの装着位置の適否判定を可能にする。【解決手段】例示的態様に係る眼科装置は、記憶部と、角膜形状測定部と、評価部とを含む。記憶部は、オルソケラトロジーレンズの設計データを予め記憶する。角膜形状測定部は、当該オルソケラトロジーレンズを外した後の眼の角膜形状を測定する。評価部は、角膜形状測定部により取得された角膜形状データと、設計データとに基づいて、当該眼に対する当該オルソケラトロジーレンズの装着状態の評価を実行する。【選択図】図１
2020162914.tif 000002
【特許請求の範囲】
【請求項１】
オルソケラトロジーレンズの設計データを予め記憶する記憶部と、
前記オルソケラトロジーレンズを外した後の眼の角膜形状を測定する角膜形状測定部と、
前記角膜形状測定部により取得された角膜形状データと前記設計データとに基づいて前記眼に対する前記オルソケラトロジーレンズの装着状態の評価を実行する評価部と
を含む眼科装置。
【請求項２】
前記角膜形状測定部は、前記眼の角膜における複数の位置のそれぞれについて所定の形状パラメータの値を求めることにより前記角膜形状データを生成し、
前記評価部は、前記複数の位置のうちの２以上の位置に対応する前記角膜形状データに含まれる２以上の値と、前記２以上の位置に対応する前記設計データに含まれる２以上の設計値とを比較することによって、前記評価を実行する、
請求項１の眼科装置。
【請求項３】
前記オルソケラトロジーレンズを外した後の前記眼の特定部位を検出する特定部位検出部を更に含み、
前記評価部は、前記特定部位に関して対称な前記２以上の位置に対応する前記２以上の値と前記２以上の設計値とを比較することによって、前記評価を実行する、
請求項２の眼科装置。
【請求項４】
前記評価部は、前記２以上の値及び前記２以上の設計値から算出される差である第１の差を算出し、前記第１の差に基づいて前記評価を実行する、
請求項３の眼科装置。
【請求項５】
前記評価部は、前記２以上の値から算出される差である第２の差を算出し、前記第２の差に基づいて前記評価を実行する、
請求項３又は４の眼科装置。
【請求項６】
前記特定部位は、前記オルソケラトロジーレンズを外した後の前記眼の角膜頂点である、
請求項３〜５のいずれかの眼科装置。
【請求項７】
前記特定部位は、前記オルソケラトロジーレンズを外した後の前記眼の瞳孔中心である、
請求項３〜５のいずれかの眼科装置。
【請求項８】
前記特定部位は、前記オルソケラトロジーレンズを外した後の前記眼の虹彩径の中心である、
請求項３〜５のいずれかの眼科装置。
【請求項９】
前記特定部位は、前記オルソケラトロジーレンズを外した後の前記眼の角膜直径の中心である、
請求項３〜５のいずれかの眼科装置。
【請求項１０】
前記角膜形状測定部は、前記オルソケラトロジーレンズを外した後の前記眼の角膜の曲率分布データ又は曲率半径分布データを前記角膜形状データとして取得し、
前記設計データは、前記オルソケラトロジーレンズの曲率分布データ又は曲率半径分布データを含む、
請求項１〜９のいずれかの眼科装置。
【請求項１１】
前記角膜形状測定部は、前記オルソケラトロジーレンズを外した後の前記眼の角膜の曲率分布データ又は曲率半径分布データを前記角膜形状データとして取得し、
前記設計データは、前記オルソケラトロジーレンズによる角膜形状の矯正目標として設定された曲率分布データ又は曲率半径分布データを含む、
請求項１〜９のいずれかの眼科装置。
【請求項１２】
前記角膜形状測定部は、前記オルソケラトロジーレンズを外した後の前記眼の角膜の高さ分布データを前記角膜形状データとして取得し、
前記設計データは、前記オルソケラトロジーレンズの形状データを含む、
請求項１〜９のいずれかの眼科装置。
【請求項１３】
前記角膜形状測定部は、前記オルソケラトロジーレンズを外した後の前記眼の角膜の高さ分布データを前記角膜形状データとして取得し、
前記設計データは、前記オルソケラトロジーレンズによる角膜形状の矯正目標形状データを含む、
請求項１〜９のいずれかの眼科装置。
【請求項１４】
眼を撮影する撮影部と記憶部とプロセッサとを含む眼科装置を制御する方法であって、
オルソケラトロジーレンズの設計データを前記記憶部に格納するように前記プロセッサを制御し、
前記オルソケラトロジーレンズを外した後の眼の撮影画像を取得するために前記撮影部を制御し、
前記眼の角膜形状データを取得するために前記撮影画像を解析するように前記プロセッサを制御し、
前記角膜形状データと前記設計データとに基づいて前記眼に対する前記オルソケラトロジーレンズの装着状態の評価を実行するように前記プロセッサを制御する、
眼科装置の制御方法。
【請求項１５】
請求項１４の制御方法を、コンピュータを含む眼科装置に実行させるプログラム。
【請求項１６】
オルソケラトロジーレンズの設計データを予め記憶する記憶部と、
前記オルソケラトロジーレンズを外した後の眼の撮影画像を解析して角膜形状データを取得する解析部と、
前記角膜形状データと前記設計データとに基づいて前記眼に対する前記オルソケラトロジーレンズの装着状態の評価を実行する評価部と
を含む眼科情報処理装置。
【請求項１７】
記憶部とプロセッサとを含む眼科情報処理装置を制御する方法であって、
オルソケラトロジーレンズの設計データを前記記憶部に格納するように前記プロセッサを制御し、
眼の角膜形状データを取得するために、前記オルソケラトロジーレンズを外した後の前記眼の撮影画像を解析するように前記プロセッサを制御し、
前記角膜形状データと前記設計データとに基づいて前記眼に対する前記オルソケラトロジーレンズの装着状態の評価を実行するように前記プロセッサを制御する、
眼科情報処理装置の制御方法。
【請求項１８】
請求項１７の制御方法をコンピュータに実行させるプログラム。
【請求項１９】
請求項１５又は１８のプログラムが記録された、コンピュータ可読な非一時的記録媒体。
【発明の詳細な説明】
【技術分野】
【０００１】
本発明は、眼科装置、その制御方法、眼科情報処理装置、その制御方法、プログラム、及び記録媒体に関する。
【背景技術】
【０００２】
近視進行に関する近年の研究によると、周辺視野の焦点が網膜面よりも奥に位置することが因子となり、網膜が奥側に変位しようとすることで近視が進行する可能性が報告されている（例えば、非特許文献１を参照）。
【０００３】
近視進行の抑制を目的として、周辺視野における屈折力を高くする（すなわち、周辺部の屈折力をマイナスにする、又は相対的に中心部の屈折力を低くする）ための屈折矯正の手段の１つとしてオルソケラトロジー（以下、「オルソＫ」と略称する）が行われ、その効果は臨床的に実証されている（例えば、非特許文献２を参照）。
【０００４】
オルソＫは、特殊なカーブデザインが施されたコンタクトレンズ（オルソＫレンズ）を装用して角膜形状を矯正することで、近視などの屈折異常を治療する角膜矯正療法である。オルソＫでは、コンタクトレンズを外した後にも屈折矯正効果が一定時間持続されるため、接触競技や屋外競技のための屈折矯正方法としても適応する。
【０００５】
前述のように、近視進行の抑制には周辺視野（周辺部）の屈折状態が重要と考えられるが、患者は日中の活動時においては基本的に中心視野（中心窩）を利用するため、周辺視野の屈折状態がどのようになっているか（つまり、夜間にオルソＫレンズが適切な位置に装着されていたか否か）を意識することはなく、期待された屈折矯正効果が実際に得られているか判断することは難しい。
【先行技術文献】
【非特許文献】
【０００６】
【非特許文献１】Earl L. Smith III, Li-Fang Hung, Juan Huang, “Relative peripheral hyperopic defocus alters central refractive development in infant monkeys”, Vision Research, Volume 49, Issue 19, 30 September 2009, Pages 2386-2392
【非特許文献２】Jun-Kang Si, Kai Tang, Hong-Sheng Bi, Da-Dong Guo, Jun-Guo Guo, and Xing-Rong Wang, “Orthokeratology for Myopia Control: A Meta-analysis”, Optometry and Vision Science,  Vol. 92, No. 3, March 2015, Pages 252-257
【発明の概要】
【発明が解決しようとする課題】
【０００７】
本発明の目的は、オルソＫレンズの装着位置の適否判定を可能にすることにある。
【課題を解決するための手段】
【０００８】
幾つかの例示的態様に係る眼科装置は、オルソケラトロジーレンズの設計データを予め記憶する記憶部と、前記オルソケラトロジーレンズを外した後の眼の角膜形状を測定する角膜形状測定部と、前記角膜形状測定部により取得された角膜形状データと前記設計データとに基づいて前記眼に対する前記オルソケラトロジーレンズの装着状態の評価を実行する評価部とを含む。
【０００９】
幾つかの例示的態様に係る眼科装置において、前記角膜形状測定部は、前記眼の角膜における複数の位置のそれぞれについて所定の形状パラメータの値を求めることにより前記角膜形状データを生成し、前記評価部は、前記複数の位置のうちの２以上の位置に対応する前記角膜形状データに含まれる２以上の値と、前記２以上の位置に対応する前記設計データに含まれる２以上の設計値とを比較することによって、前記評価を実行する。
【００１０】
幾つかの例示的態様に係る眼科装置において、前記オルソケラトロジーレンズを外した後の前記眼の特定部位を検出する特定部位検出部を更に含み、前記評価部は、前記特定部位に関して対称な前記２以上の位置に対応する前記２以上の値と前記２以上の設計値とを比較することによって、前記評価を実行する。
【００１１】
幾つかの例示的態様に係る眼科装置において、前記評価部は、前記２以上の値及び前記２以上の設計値から算出される差である第１の差を算出し、前記第１の差に基づいて前記評価を実行する。
【００１２】
幾つかの例示的態様に係る眼科装置において、前記評価部は、前記２以上の値から算出される差である第２の差を算出し、前記第２の差に基づいて前記評価を実行する。
【００１３】
幾つかの例示的態様に係る眼科装置において、前記特定部位は、前記オルソケラトロジーレンズを外した後の前記眼の角膜頂点である。
【００１４】
幾つかの例示的態様に係る眼科装置において、前記特定部位は、前記オルソケラトロジーレンズを外した後の前記眼の瞳孔中心である。
【００１５】
幾つかの例示的態様に係る眼科装置において、前記特定部位は、前記オルソケラトロジーレンズを外した後の前記眼の虹彩径の中心である。
【００１６】
幾つかの例示的態様に係る眼科装置において、前記特定部位は、前記オルソケラトロジーレンズを外した後の前記眼の角膜直径の中心である。
【００１７】
幾つかの例示的態様に係る眼科装置において、前記角膜形状測定部は、前記オルソケラトロジーレンズを外した後の前記眼の角膜の曲率分布データ又は曲率半径分布データを前記角膜形状データとして取得し、前記設計データは、前記オルソケラトロジーレンズの曲率分布データ又は曲率半径分布データを含む。
【００１８】
幾つかの例示的態様に係る眼科装置において、前記角膜形状測定部は、前記オルソケラトロジーレンズを外した後の前記眼の角膜の曲率分布データ又は曲率半径分布データを前記角膜形状データとして取得し、前記設計データは、前記オルソケラトロジーレンズによる角膜形状の矯正目標として設定された曲率分布データ又は曲率半径分布データを含む。
【００１９】
幾つかの例示的態様に係る眼科装置において、前記角膜形状測定部は、前記オルソケラトロジーレンズを外した後の前記眼の角膜の高さ分布データを前記角膜形状データとして取得し、前記設計データは、前記オルソケラトロジーレンズの形状データを含む。
【００２０】
幾つかの例示的態様に係る眼科装置において、前記角膜形状測定部は、前記オルソケラトロジーレンズを外した後の前記眼の角膜の高さ分布データを前記角膜形状データとして取得し、前記設計データは、前記オルソケラトロジーレンズによる角膜形状の矯正目標形状データを含む。
【００２１】
幾つかの例示的態様に係る方法は、眼を撮影する撮影部とプロセッサとを含む眼科装置を制御する方法であって、眼を撮影する撮影部と記憶部とプロセッサとを含む眼科装置を制御する方法であって、オルソケラトロジーレンズの設計データを前記記憶部に格納するように前記プロセッサを制御し、前記オルソケラトロジーレンズを外した後の眼の撮影画像を取得するために前記撮影部を制御し、前記眼の角膜形状データを取得するために前記撮影画像を解析するように前記プロセッサを制御し、前記角膜形状データと前記設計データとに基づいて前記眼に対する前記オルソケラトロジーレンズの装着状態の評価を実行するように前記プロセッサを制御する。
【００２２】
幾つかの例示的態様に係るプログラムは、いずれかの例示的態様に係る制御方法を、コンピュータを含む眼科装置に実行させるプログラムである。
【００２３】
幾つかの例示的態様に係る眼科情報処理装置は、オルソケラトロジーレンズの設計データを予め記憶する記憶部と、前記オルソケラトロジーレンズを外した後の眼の撮影画像を解析して角膜形状データを取得する解析部と、前記角膜形状データと前記設計データとに基づいて前記眼に対する前記オルソケラトロジーレンズの装着状態の評価を実行する評価部とを含む。
【００２４】
幾つかの例示的態様に係る方法は、記憶部とプロセッサとを含む眼科情報処理装置を制御する方法であって、オルソケラトロジーレンズの設計データを前記記憶部に格納するように前記プロセッサを制御し、眼の角膜形状データを取得するために、前記オルソケラトロジーレンズを外した後の前記眼の撮影画像を解析するように前記プロセッサを制御し、前記角膜形状データと前記設計データとに基づいて前記眼に対する前記オルソケラトロジーレンズの装着状態の評価を実行するように前記プロセッサを制御する。
【００２５】
幾つかの例示的態様に係るプログラムは、いずれかの例示的態様に係る制御方法をコンピュータに実行させるプログラムである。
【００２６】
幾つかの例示的態様に係る記録媒体は、いずれかの例示的態様に係るプログラムが記録された、コンピュータ可読な非一時的記録媒体である。
【発明の効果】
【００２７】
例示的な態様によれば、オルソＫレンズの装着位置の適否判定を実行することが可能である。
【図面の簡単な説明】
【００２８】
【図１】例示的な態様に係る眼科装置の構成を表す概略図である。
【図２】例示的な態様に係る眼科装置の動作を表すフローチャートである。
【図３】例示的な態様に係る眼科装置の構成を表す概略図である。
【図４】例示的な態様に係る眼科装置の構成を表す概略図である。
【図５】例示的な態様に係る眼科装置の構成を表す概略図である。
【図６】例示的な態様に係る眼科装置の構成を表す概略図である。
【図７】例示的な態様に係る眼科装置の動作を表すフローチャートである。
【図８】例示的な態様に係る眼科情報処理装置の構成を表す概略図である。
【発明を実施するための形態】
【００２９】
実施形態の幾つかの例示的な態様を以下に説明する。なお、この明細書にて引用された文献に開示された事項や任意の公知技術に係る事項を例示的態様に援用することが可能である。
【００３０】
以下に説明する幾つかの例示的態様は、オルソＫレンズの装着状態の評価、つまり、オルソＫレンズが眼（角膜上）の適切な位置に装着されていたか否かの評価に用いることが可能である。これは、角膜が目的の形状に矯正されているか否かの評価であり、典型的には、近視進行抑制のための周辺視野の屈折状態が適切に矯正されているか否か（つまり、周辺視野の焦点が網膜面よりも手前に位置しているか否か）の評価を含んでいてよい。
【００３１】
以下に説明する幾つかの態様において、「矯正中心」とは、例えば、オルソＫレンズにより変形された角膜の頂点（角膜頂点）の検出位置、及び、瞳孔の中心（瞳孔中心）の検出位置のいずれかであってよい。なお、矯正中心の定義はこれらに限定されず、他の位置であってもよい。
【００３２】
ここに言う角膜頂点は、オルソＫレンズを外した後の角膜の最も突出した位置であり、一般に、本来の角膜頂点（オルソＫレンズによる変形の影響がない状態における角膜の頂点）から偏位している（もちろん、オルソＫレンズの影響下の角膜頂点が本来の角膜頂点に一致している状況を除外するものではない）。
【００３３】
角膜頂点の検出は、例えば、前眼部に形成された指標の検出により行われる。その典型的な例として、特開２０１５−８５０８１号公報は、前眼部に光束を投影しつつ正面から撮影し、それにより取得された前眼部像を解析して輝点像（プルキンエ像）を検出し、この輝点像の位置（２次元位置）を角膜頂点の位置として求める技術を開示している。また、特開２０１７−７４１１５号公報は、前眼部に光束を投影しつつ２方向から撮影（ステレオ撮影）を行い、それにより取得された２つの前眼部像を解析して輝点像（プルキンエ像）を検出し、この輝点像の位置（３次元位置）を角膜頂点の位置として求める技術を開示している。角膜頂点検出の他の例として、角膜曲率半径を測定するために角膜に投影されたリングパターン光の撮影像の中心位置を求めて角膜頂点の位置（２次元位置）とすることができる。角膜曲率半径を測定するための眼科装置（ケラトメータ）は、例えば、特開平２−６５８３３号公報に開示されている。角膜頂点検出の更に他の例として、光コヒーレンストモグラフィ（ＯＣＴ）装置（例えば、特開２０１５−１５７１８２号公報）により得られた前眼部の画像から角膜頂点の位置（３次元位置）を検出することができる。
【００３４】
瞳孔中心の検出は、例えば、前眼部を正面から撮影して得られた画像（前眼部像）を取得する処理と、この前眼部像に輝度解析を適用して瞳孔領域を特定する処理と、この瞳孔領域の近似楕円を求める処理と、この近似楕円の中心を特定して瞳孔中心とする処理とを含む。本例では、２次元位置としての瞳孔中心が得られる。他の例において、瞳孔中心の検出は、前眼部にステレオ撮影を適用して２つの前眼部像を取得する処理と、これら前眼部像のそれぞれに輝度解析を適用して瞳孔領域を特定する処理と、２つの前眼部像から特定された２つの瞳孔領域のそれぞれの近似楕円を求める処理と、２つの瞳孔領域に対応する２つの近似楕円のそれぞれの中心を特定する処理と、２つの瞳孔領域に対応する２つの中心から３次元位置としての瞳孔中心を求める処理とを含む。更に他の例において、前眼部にＯＣＴスキャンを適用してＯＣＴ画像を取得する処理と、このＯＣＴ画像を解析して瞳孔領域（虹彩領域）を特定する処理と、この瞳孔領域の外周縁（虹彩領域の内周縁）を特定する処理と、この瞳孔縁（虹彩縁）の近似楕円を求める処理と、この近似楕円の中心を瞳孔中心として求める処理とを含む。本例では、典型的には３次元位置としての瞳孔中心が求められる。
【００３５】
幾つかの態様では、オルソＫレンズが処方された眼の角膜形状が測定される。角膜形状は、例えば、角膜曲率分布、角膜曲率半径分布、又は、高さ分布であってよい。角膜曲率分布及び角膜曲率半径分布は、例えば、ケラトメータ、角膜トポグラム（例えば、特開平８−２８０６２４号公報を参照）により求められる。高さ分布は、例えば、角膜曲率分布を２回積分することによって求められる。なお、一般的な視力補正用コンタクトレンズと異なり、オルソＫレンズには、中心部（オプティカルゾーン、トリートメントゾーン）と周縁部（ペリフェラルゾーン、ランディングゾーン）との間に、曲率の変曲点が存在する領域（遷移ゾーン、リターンゾーン）が設けられている。
【００３６】
以下の幾つかの態様において、「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路である。プロセッサは、例えば、記憶回路や記憶装置に格納されているプログラムを読み出し実行することで、目的の機能を実現する。
【００３７】
＜第１の態様＞
第１の態様に係る眼科装置について説明する。本態様に係る眼科装置の構成例を図１に示す。眼科装置１０００は、記憶部１０１０と、角膜形状測定部１０２０と、特定部位検出部１０３０と、評価部１０４０とを含む。眼科装置１０００は、これらを制御する制御部１０５０を更に含む。
【００３８】
記憶部１０１０は、オルソＫレンズの設計データ１０１５を予め記憶する。記憶部１０１０は、例えば、ハードディスクドライブ、ＲＡＭ、ＲＯＭ、半導体メモリなどを含む。
【００３９】
典型的な設計データ１０１５は、次のいずれかのデータ（設計値）を含んでいてよい：オルソＫレンズの曲率分布データ；オルソＫレンズの曲率半径分布データ；オルソＫレンズによる角膜形状の矯正目標として設定された曲率分布データ；オルソＫレンズによる角膜形状の矯正目標として設定された曲率半径分布データ；オルソＫレンズの形状データ；オルソＫレンズによる角膜形状の矯正目標形状データ。
【００４０】
典型的な設計データ１０１５に含まれる設計値は以上に示した例には限定されず、例えば、オルソＫレンズの各種パラメータの値を含んでいてよい。オルソＫレンズのパラメータの例として、レンズ全体の径、レンズ中心部のベースカーブの径、オプティカルゾーン（トリートメントゾーン）の弦（ｃｈｏｒｄ）の寸法、遷移ゾーン（リターンゾーン）の幅・深さ、ペリフェラルゾーン（ランディングゾーン）の径・角度・幅、末端部の幅、屈折力などがある。
【００４１】
設計データ１０１５の態様や形態はこれらに限定されない。また、記憶部１０１０の構成や設計データ１０１５に関する処理についての幾つかの例を以下に説明するが、これらに限定されるものではない。
【００４２】
幾つかの例において、記憶部１０１０は、複数の患者に関するオルソＫレンズの設計データ１０１５を記憶しており、各設計データ１０１５は、患者識別情報（患者ＩＤ）及び適用眼情報（左眼、右眼）に関連付けられている。制御部１０５０は、患者ＩＤ及び適用眼情報の入力を受け、これらに関連付けられた設計データ１０１５を選択して評価部１０４０等に提供する。
【００４３】
また、幾つかの例において、複数の患者に関するオルソＫレンズの設計データ１０１５は、ローカルエリアネットワーク（ＬＡＮ）上に設けられたサーバ又はワイドエリアネットワーク（ＷＡＮ）上に設けられたサーバ（クラウドサーバ等）に保存されている。制御部１０５０は、患者ＩＤ及び適用眼情報の入力を受け、これらに基づく要求をサーバに送信し、この要求に応じてサーバから送信された設計データ１０１５を受け付けて評価部１０４０等に提供する。
【００４４】
角膜形状測定部１０２０は、眼の角膜形状を測定して角膜形状データを生成する。例えば、角膜形状測定部１０２０は、眼の角膜における複数の位置のそれぞれについて所定の形状パラメータの値を求めることにより角膜形状データを生成するように構成されていてよい。
【００４５】
角膜形状データは、例えば、ケラトメータにより得られた角膜曲率分布データ又は角膜曲率半径分布データ、角膜トポグラファにより得られた角膜曲率分布データ又は角膜曲率半径分布データ、角膜曲率分布データを２回積分することで求められた高さ分布データ、前眼部ＯＣＴスキャンにより得られた角膜曲率分布データ、角膜曲率半径分布データ又は高さ分布データ、及び、他の測定データのうちのいずれかであってよい。
【００４６】
前述したように、典型的な設計データ１０１５は、次のいずれかの設計値を含む：オルソＫレンズの曲率分布データ；オルソＫレンズの曲率半径分布データ；オルソＫレンズによる角膜形状の矯正目標として設定された曲率分布データ；オルソＫレンズによる角膜形状の矯正目標として設定された曲率半径分布データ；オルソＫレンズの形状データ；オルソＫレンズによる角膜形状の矯正目標形状データ。
【００４７】
幾つかの例において、設計データ１０１５がオルソＫレンズの曲率分布データ又は曲率半径分布データを含む場合、角膜形状測定部１０２０は角膜の曲率分布データ又は曲率半径分布データを取得するように構成される。また、幾つかの例において、設計データ１０１５がオルソＫレンズによる角膜形状の矯正目標として設定された曲率分布データ又は曲率半径分布データを含む場合、角膜形状測定部１０２０は角膜の曲率分布データ又は曲率半径分布データを取得するように構成される。
【００４８】
幾つかの例において、設計データ１０１５がオルソＫレンズの形状データを含む場合、角膜形状測定部１０２０は角膜の高さ分布データを取得するように構成される。また、幾つかの例において、設計データ１０１５がオルソＫレンズによる角膜形状の矯正目標形状データを含む場合、角膜形状測定部１０２０は角膜の高さ分布データを取得するように構成される。
【００４９】
典型的な角膜形状測定部１０２０は、角膜にパターン像を形成するための光を投射する投射系と、パターン像が形成されている前眼部を撮影する撮影部（光学系、撮像素子、カメラ等）と、撮影部により得られた画像を解析するプロセッサとを含む。プロセッサは、例えば、角膜形状パラメータの分布データを求めるための解析ソフトウェア（プログラム）にしたがって動作する。他の典型的な角膜形状測定部１０２０は、角膜にＯＣＴスキャンを適用するＯＣＴ系と、ＯＣＴ系により得られたデータからＯＣＴ画像を構築する第１プロセッサと、形成されたＯＣＴ画像を解析する第２プロセッサとを含む。第１プロセッサは、公知のＯＣＴ画像構築ソフトウェア（プログラム）にしたがって動作する。第２プロセッサは、例えば、角膜形状パラメータの分布データを求めるための解析ソフトウェア（プログラム）にしたがって動作する。
【００５０】
特定部位検出部１０３０は、オルソＫレンズを外した後の眼の特定部位を検出する。眼の特定部位は、典型的には角膜頂点又は瞳孔中心であるが、他の部位であってもよい。
【００５１】
角膜頂点の検出には、例えば、前述したように、プルキンエ像に基づく２次元位置又は３次元位置の検出手法、ケラトリング像に基づく２次元位置の検出手法、前眼部ＯＣＴを利用した３次元位置の検出手法、及び、他の検出手法のいずれかが適用される。
【００５２】
瞳孔中心の検出には、例えば、前眼部の正面画像の解析による２次元位置の検出手法、ステレオ撮影で得られた２つの前眼部像の解析による３次元位置の検出手法、及び、他の検出手法のいずれかが適用される。
【００５３】
特定部位検出部１０３０により検出される眼の他の部位の例として、虹彩径の中心（中点）と角膜直径の中心（中点）がある。
【００５４】
虹彩径は、虹彩の外周縁において互いに対向する２点を結んだ線分であり、典型的には水平方向に沿った線分である。虹彩径は、可視虹彩径とも呼ばれる。虹彩径の検出は、例えば、前眼部の正面画像の解析、ステレオ撮影で得られた２つの前眼部像の解析、又は、他の前眼部像の解析を含む。特定部位検出部１０３０は、このような解析を用いて検出された虹彩径の中点を特定して虹彩径の中心に設定することができる。
【００５５】
角膜直径は、角膜の外周縁（結膜の内周縁、角膜と結膜との境界）において互いに対向する２点を結んだ線分であり、典型的には水平方向に沿った線分である。角膜直径は、ｗｈｉｔｅ  ｔｏ  ｗｈｉｔｅとも呼ばれる。角膜直径の検出は、例えば、前眼部の正面画像の解析、ステレオ撮影で得られた２つの前眼部像の解析、又は、他の前眼部像の解析を含む。特定部位検出部１０３０は、このような解析を用いて検出された角膜直径の中点を特定して角膜直径の中心に設定することができる。
【００５６】
特定部位検出部１０３０は、例えば上記の手法で角膜直径を特定し、この角膜直径から虹彩径を求めるように構成されていてもよい。この場合、例えば、角膜直径に対して所定距離（例えば０．５〜１．０ミリメートル）だけ内側に位置する線分が虹彩径として定義される。
【００５７】
典型的な特定部位検出部１０３０は、前眼部を撮影する撮影部（光学系、撮像素子、カメラ等）と、撮影部により得られた画像を解析するプロセッサとを含む。更に、特定部位検出部１０３０は、プルキンエ像やケラトリング像を形成するための光束を投射する投射部を備えていてもよい。プロセッサは、例えば、特定部位を検出するための公知の解析ソフトウェア（プログラム）にしたがって動作する。
【００５８】
評価部１０４０は、角膜形状測定部１０２０により取得された角膜形状データと記憶部１０１０から読み出された設計データ１０１５とに基づいて、眼に対するオルソＫレンズの装着状態の評価を実行する。評価部１０４０は、例えば、角膜形状データと設計データ１０１５とを比較することによって評価を行う。例えば、比較は、角膜形状データに示す値と設計データに示す値との差を求める処理を含み、この差を既定閾値と比較することによって評価結果が得られる。ここで、「差」は、２つの値の相違を表す任意の量であってよく、典型的には、一方の値から他方の値を減算して得られる値、この減算値の絶対値、又は、２つの値の比であってよい。
【００５９】
幾つかの例において、角膜形状測定部１０２０は、前述したように、眼の角膜における複数の位置のそれぞれについて所定の形状パラメータの値を求めることによって角膜形状データを生成する。この場合、評価部１０４０は、当該複数の位置のうちの２以上の位置に対応する角膜形状データに含まれる２以上の値と、当該２以上の位置に対応する設計データ１０５０に含まれる２以上の設計値とを比較することによって、評価を実行することができる。換言すると、評価部１０４０は、形状パラメータ測定が適用された角膜の複数の位置のうちの２以上の位置に対応する２以上の測定値と、設計データ１０１５に含まれる複数の位置に対応する複数の設計値のうち当該２以上の位置に対応する２以上の設計値とを比較し、それにより得られた結果に基づいて当該眼に対する当該オルソＫレンズの装着状態の評価の結果を生成することができる。
【００６０】
比較の対象とされる角膜の２以上の位置は任意であってよい。例えば、２以上の位置は眼の特定部位に関して対称に配置され、この特定部位はオルソケラトロジーレンズを外した後に特定部位検出部１０３０によって検出される。この場合、評価部１０４０は、検出された特定部位に関して対称な２以上の位置について、対応する２以上の測定値と対応する２以上の設計値とを比較し、その結果に基づき評価結果を取得することが可能である。
【００６１】
特定部位検出部１０３０によって検出される眼の特定部位は、オルソＫレンズを外した後の眼の角膜頂点であってよい。この場合、評価部１０４０は、例えば、オルソＫレンズを外した後の眼の角膜頂点に関して点対称な関係にある一対の位置（２つの位置）について、当該一対の位置に対応する２つの測定値と、同じく当該一対の位置に対応する２つの設計値とを比較する。
【００６２】
典型的なオルソＫレンズはレンズ中心に対して対称な形状を有するので、点対称な位置関係にある一対の位置に対応する２つの設計値は互いに等しい。よって、オルソＫレンズの装着状態が適切であった場合、オルソＫレンズを外した後の角膜頂点に対して点対称な位置関係にある一対の位置に対応する２つの測定値は、互いにほぼ等しく、且つ、対応する２つの設計値にほぼ等しくなると考えられる。
【００６３】
このような考察に鑑み、評価部１０４０は、このような２つの測定値及び２つの設計値から算出される差（第１の差）を算出するように構成されていてよい。第１の差は、例えば、２つの測定値の一方から２つの設計値の一方を減算して得られる値、当該減算値の絶対値、又は、これら２つの値の比であってよい。評価部１０４０は、算出された第１の差に基づいて評価を実行することができる。例えば、この評価は、第１の差が既定閾値を超えるか否か判定する処理を含み、第１の差が既定閾値を超える場合にはオルソＫレンズの装着状態は不適切であったとの評価結果が得られ、第１の差が既定閾値以下である場合にはオルソＫレンズの装着状態は適切であったとの評価結果が得られる。なお、理想的な状況においては、角膜の同じ位置に対応する測定値と設定値とは等しくなり、よって、２つの測定値の一方から２つの設計値の一方を減算して得られる値は０となり、これら２つの値の比は１となる。
【００６４】
同じく上記考察に鑑み、評価部１０４０は、２つの測定値の差（第２の差）を算出し、この第２の差に基づいて評価を実行するように構成されていてもよい。第２の差は、例えば、２つの測定値の一方から他方を減算して得られる値、当該減算値の絶対値、又は、これら２つの測定値の比であってよい。評価部１０４０は、算出された第２の差に基づいて評価を実行することができる。例えば、この評価は、第２の差が既定閾値を超えるか否か判定する処理を含み、第２の差が既定閾値を超える場合にはオルソＫレンズの装着状態は不適切であったとの評価結果が得られ、第２の差が既定閾値以下である場合にはオルソＫレンズの装着状態は適切であったとの評価結果が得られる。なお、理想的な状況においては、角膜頂点に関して点対称な位置関係にある一対の位置に対応する一対の測定値は互いに等しくなり、よって、一対の測定値の一方から他方を減算して得られる値は０となり、一対の測定値の比は１となる。
【００６５】
特定部位検出部１０３０によって検出される眼の特定部位は、オルソＫレンズを外した後の眼の瞳孔中心であってよい。なお、本例では、眼軸に直交する方向において角膜頂点と瞳孔中心とがほぼ同じ位置に配置されることを仮定する。換言すると、本例では、角膜と瞳孔との偏心量が十分に小さいと仮定する。この仮定の下、評価部１０４０は、例えば、オルソＫレンズを外した後の眼の瞳孔中心（これに対応する角膜における位置（角膜頂点の近似位置））に関して点対称な関係にある一対の位置（２つの位置）について、当該一対の位置に対応する２つの測定値と、同じく当該一対の位置に対応する２つの設計値とを比較する。
【００６６】
この場合において、前述した考察に鑑み、評価部１０４０は、このような２つの測定値及び２つの設計値から算出される差（第１の差）を算出し、算出された第１の差に基づいて評価を実行するように構成されていてよい。また、評価部１０４０は、２つの測定値の差（第２の差）を算出し、算出された第２の差に基づいて評価を実行するように構成されていてもよい。
【００６７】
特定部位検出部１０３０によって検出される眼の特定部位は、オルソＫレンズを外した後の眼の虹彩径の中心であってよい。なお、本例では、眼軸に直交する方向において角膜頂点と虹彩径の中心とがほぼ同じ位置に配置されることを仮定する。換言すると、本例では、角膜と虹彩との偏心量が十分に小さいと仮定する。この仮定の下、評価部１０４０は、例えば、オルソＫレンズを外した後の眼の虹彩径の中心（これに対応する角膜における位置（角膜頂点の近似位置））に関して点対称な関係にある一対の位置（２つの位置）について、当該一対の位置に対応する２つの測定値と、同じく当該一対の位置に対応する２つの設計値とを比較する。
【００６８】
この場合において、前述した考察に鑑み、評価部１０４０は、このような２つの測定値及び２つの設計値から算出される差（第１の差）を算出し、算出された第１の差に基づいて評価を実行するように構成されていてよい。また、評価部１０４０は、２つの測定値の差（第２の差）を算出し、算出された第２の差に基づいて評価を実行するように構成されていてもよい。
【００６９】
特定部位検出部１０３０によって検出される眼の特定部位は、オルソＫレンズを外した後の眼の角膜直径の中心であってよい。なお、本例では、角膜頂点と角膜中心との偏位が十分に小さいと仮定する。この仮定の下、評価部１０４０は、例えば、オルソＫレンズを外した後の眼の角膜直径の中心（角膜頂点の近似位置）に関して点対称な関係にある一対の位置（２つの位置）について、当該一対の位置に対応する２つの測定値と、同じく当該一対の位置に対応する２つの設計値とを比較する。
【００７０】
この場合において、前述した考察に鑑み、評価部１０４０は、このような２つの測定値及び２つの設計値から算出される差（第１の差）を算出し、算出された第１の差に基づいて評価を実行するように構成されていてよい。また、評価部１０４０は、２つの測定値の差（第２の差）を算出し、算出された第２の差に基づいて評価を実行するように構成されていてもよい。
【００７１】
典型的な評価部１０４０は、特定部位と特徴点とに基づきオルソＫレンズの装着状態の評価を実行するプロセッサを含む。プロセッサは、当該評価を実行するための評価ソフトウェア（プログラム）にしたがって動作する。解析ソフトウェアは、例えば、特定部位と特徴点との間の偏位を算出するためのソフトウェアと、算出された偏位と所定の評価基準（評価プロトコル）に基づき評価を行うためのソフトウェアとを含む。
【００７２】
制御部１０５０は、眼科装置１０００の各部を制御する。制御部１０５０は、制御プログラムにしたがって動作するプロセッサを含む。
【００７３】
図示は省略するが、眼科装置１０００は、表示デバイス、操作デバイス、通信デバイスなどを更に備えていてもよい。
【００７４】
本態様に係る眼科装置１０００の動作について説明する。眼科装置１０００の動作の例を図２に示す。眼科装置１０００の記憶装置（例えば記憶部１０１０）には、図２に示す動作例を実現するためのソフトウェアが記憶されている。眼科装置１０００は、このソフトウェアにしたがって動作することにより、図２に示す一連の処理を実行する。なお、記憶部１０１０に設計データ１０１５を記憶させる処理は既に行われたとする。
【００７５】
（Ｓ１：オルソＫレンズを眼から外す）
まず、評価対象のオルソＫレンズを眼から外す。
【００７６】
（Ｓ２：アライメント等の準備動作を行う）
次に、後述の検出及び測定を行うための所定の準備動作が行われる。準備動作としては、例えば、眼に対する眼科装置１０００の位置合わせ（アライメント）、フォーカス調整などがある。また、後述の検出及び測定のいずれかにおいてＯＣＴが行われる場合、典型的には、光路長調整や偏光調整が準備動作として実行される。これら準備動作は公知の手法及び構成により行われる。
【００７７】
（Ｓ３：眼の特定部位を検出する）
特定部位検出部１０３０は、眼の特定部位を検出する。眼の特定部位は、典型的には、角膜頂点、瞳孔中心、虹彩径の中心、又は角膜直径の中心である。これにより、眼の特定部位の位置データが得られる。
【００７８】
（Ｓ４：眼の角膜形状を測定する）
角膜形状測定部１０２０は、眼の角膜形状を測定する。角膜形状データは、典型的には、角膜曲率分布データ、角膜曲率半径分布データ、又は高さ分布データである。これにより、眼の角膜形状データが得られる。
【００７９】
（Ｓ５：角膜形状データと設計データを比較する）
評価部１０４０は、ステップＳ３で検出された特定部位に対応する、ステップＳ４で取得された角膜形状データにおける位置（特定位置と呼ぶ）を求める。この特定位置は、典型的には、角膜頂点に対応する位置、瞳孔中心に対応する位置、虹彩径の中心に対応する位置、又は、角膜直径の中心に対応する位置である。
【００８０】
次に、評価部１０４０は、ステップＳ４で取得された角膜形状データに含まれる複数の測定値のうちから、ステップＳ３で検出された特定部位に対応する特定位置に関して対称な位置関係にある２つ（以上）の位置に対応する２つ（以上）の測定値を選択する。
【００８１】
また、評価部１０４０は、記憶部１０１０に記憶されている設計データ１０１５に含まれる複数の設計値のうちから、ステップＳ３で検出された特定部位に対応する特定位置に関して対称な位置関係にある２つ（以上）の位置に対応する２つ（以上）の設計値を選択する。
【００８２】
ここで、典型的には、選択される２つ（以上）の測定値に対応する２つ（以上）の位置は、選択される２つ（以上）の設計値に対応する２つ（以上）の位置と同じである。なお、典型的なオルソＫレンズの形状はレンズ中心に対して点対称な形状（回転対称な形状）であるから、ステップＳ３で検出された特定部位に対応する特定位置から等距離にある２つ（以上）の位置について、対応する２つ（以上）の測定値と、対応する２つ（以上）の設計値とを選択するようにしてもよい。
【００８３】
評価部１０４０は、選択された２つ（以上）の測定値と、選択された２つ（以上）の設計値とを比較する。例えば、評価部１０４０は、前述した第１の差及び第２の差のいずれか一方又は双方を算出する。
【００８４】
（Ｓ６：オルソＫレンズの装着状態の評価を行う）
評価部１０４０は、ステップＳ５で実行された比較の結果に基づいて（例えば、第１の差及び第２の差のいずれか一方又は双方に基づいて）、眼に対するオルソＫレンズの装着状態の評価を実行する。
【００８５】
制御部１０５０は、ステップＳ６で実行された評価の結果を出力することや、保存することや、記録することができる。例えば、制御部１０５０は、表示デバイスを制御して評価結果を表示させることや、通信デバイスを制御して他の装置（例えば、電子カルテシステム等の医療情報管理装置）に評価結果を送信することや、眼科装置１０００に設けられた記憶装置に評価結果を保存することや、プリンタを制御して評価結果を紙媒体に印刷させることや、ドライブ装置等を制御して評価結果を記録媒体に書き込ませることなどが可能である。
【００８６】
図２に示すステップの順序を任意に変更することができる。例えば、特定部位検出の前に角膜形状測定を行うことができる。
【００８７】
＜第２の態様＞
第２の態様に係る眼科装置について説明する。本態様では、オルソＫレンズの処方が適切である場合には、このオルソＫレンズの設計にしたがって角膜形状が矯正され、そのレンズ中心に関して略対称な角膜形状（例えば、略対称な曲率分布、略対称な曲率半径分布、略対称な高さ分布）となることを前提とする。
【００８８】
また、本態様では、眼には乱視がないこと、及び、オルソＫレンズにより変形した角膜の形状（非球面性）が等方的であることを仮定する。ここで、眼に乱視がないことは、例えば、眼の乱視度の測定値が所定閾値以下であることを意味し、そのような眼に対して本態様を適用することが可能である。
【００８９】
なお、乱視眼に対しては、例えば、第１の態様で説明した２つの位置（一対の位置）を乱視軸方向の経線上に設定したり、乱視軸方向に直交する経線上に設定したりすることで、同様の評価を行うことが可能である。
【００９０】
本態様に係る眼科装置の構成例を図３に示す。眼科装置２０００は、眼特性測定機能を有し、付加的にＯＣＴ機能を有する。
【００９１】
測定可能な眼特性の例として屈折力と角膜形状がある。屈折力のパラメータの例として、球面度数、乱視度数、乱視軸角度などがある。角膜形状のパラメータの例として、角膜曲率、角膜曲率半径などがある。角膜形状は、典型的には、角膜曲率分布又は角膜曲率半径分布で表現される。なお、一般に曲率と曲率半径とは互いに逆数の関係にあり、角膜曲率と角膜曲率半径とは等価なパラメータである。
【００９２】
本態様に適用可能なＯＣＴのタイプは任意である。本態様ではスウェプトソースＯＣＴが適用されるが、スペクトラルドメインＯＣＴ又は他のタイプであってもよい。ここで、スウェプトソースＯＣＴは、波長可変光源からの光を測定光と参照光とに分割し、被検物からの測定光の戻り光を参照光と重ね合わせて干渉光を生成し、この干渉光を光検出器で検出し、波長の掃引及び測定光のスキャンに応じて収集された検出データにフーリエ変換等を施して画像を構築する手法である。一方、スペクトラルドメインＯＣＴは、低コヒーレンス光源（広帯域光源）からの光を測定光と参照光とに分割し、被検物からの測定光の戻り光を参照光と重ね合わせて干渉光を生成し、この干渉光のスペクトル分布を分光器で検出し、検出されたスペクトル分布にフーリエ変換等を施して画像を構築する手法である。すなわち、スウェプトソースＯＣＴは、干渉光のスペクトル分布を時分割で取得するＯＣＴ手法であり、スペクトラルドメインＯＣＴは、干渉光のスペクトル分布を空間分割で取得するＯＣＴ手法である。
【００９３】
眼科装置は、他の他覚測定機能を備えていてもよく、また、自覚検査機能を備えていてもよい。自覚検査は、被検者からの応答を利用して情報を取得する測定手法であり、典型的には、遠用検査、近用検査、コントラスト検査、グレア検査等の自覚屈折測定や、視野検査などがある。他覚測定は、被検者からの応答を参照することなく、主に物理的な手法を用いて眼のデータを取得する測定手法である。他覚測定には、眼の特性データを取得するための測定と、眼の画像データを取得するための撮影とが含まれる。他覚測定としては、前述した屈折力測定や角膜形状測定に加え、眼圧測定、前眼部撮影、眼底撮影、ＯＣＴ等がある。
【００９４】
本態様において、特に言及しない限り、眼の部位と光学系内の位置との間の共役関係は、アライメントが好適な状態における相互の位置関係を意味するものとする。例えば、光学系における眼底共役位置は、アライメントが好適な状態において眼底と光学的に略共役な位置であり、眼底と光学的に共役な位置又はその近傍を意味する。また、瞳孔共役位置は、アライメントが好適な状態において瞳孔と光学的に略共役な位置であり、瞳孔と光学的に共役な位置又はその近傍を意味する。
【００９５】
以下、眼科装置２０００の光学系の光軸に沿う方向をＺ方向と呼ぶ。また、この光軸（Ｚ座標軸）に直交する平面（ＸＹ平面）を定義する２次元直交座標系（ＸＹ座標系）の第１座標軸（例えば水平方向に沿う座標軸）及び第２座標軸（例えば上下方向に沿う座標軸）について、第１座標軸（Ｘ座標軸）に沿う方向をＸ方向と呼び、第２座標軸（Ｙ座標軸）に沿う方向をＹ方向と呼ぶ。
【００９６】
さて、図３に示す眼科装置２０００は、Ｚアライメント系１、ＸＹアライメント系２、ケラト測定系３、固視投影系４、前眼部観察系５、レフ測定投射系６、レフ測定受光系７、及びＯＣＴ光学系８を含む。以下では、例えば、前眼部観察系５が９４０ｎｍ〜１０００ｎｍの光を用い、レフ測定光学系（レフ測定投射系６、レフ測定受光系７）が８３０ｎｍ〜８８０ｎｍの光を用い、固視投影系４が４００ｎｍ〜７００ｎｍの光を用い、ＯＣＴ光学系８が１０００ｎｍ〜１１００ｎｍの光を用いるものとする。
【００９７】
前眼部観察系５は、眼Ｅの前眼部を動画撮影する。前眼部観察系５を経由する光学系において、撮像素子５９の撮像面は瞳孔共役位置に配置されている。前眼部照明光源５０は、眼Ｅの前眼部に照明光（例えば、赤外光）を照射する。眼Ｅの前眼部により反射された光は、対物レンズ５１を通過し、ダイクロイックミラー５２を透過し、絞り（テレセン絞り）５３に形成された孔部を通過し、ハーフミラー２３を透過し、リレーレンズ５５及び５６を通過し、ダイクロイックミラー７６を透過する。ダイクロイックミラー５２は、レフ測定光学系の光路と前眼部観察系５の光路とを結合する。ダイクロイックミラー５２は、これらの光路が結合される光路結合面が対物レンズ５１の光軸に対して傾斜して配置される。ダイクロイックミラー７６を透過した光は、結像レンズ５８により撮像素子５９（エリアセンサー）の撮像面に結像される。撮像素子５９は、所定のレートで撮像及び信号出力を行う。撮像素子５９の出力（映像信号）は、後述のコンピュータ９に入力される。コンピュータ９は、この映像信号に基づく前眼部像Ｅ´を表示部１０の表示画面１０ａに表示させる。前眼部像Ｅ´は、例えば赤外動画像である。
【００９８】
Ｚアライメント系１は、前眼部観察系５の光軸方向（前後方向、Ｚ方向）におけるアライメントを行うための光（赤外光）を眼Ｅに投射する。Ｚアライメント光源１１から出力された光は、眼Ｅの角膜Ｃｒに斜方から投射され、角膜Ｃｒにより反射され、結像レンズ１２によりラインセンサー１３のセンサー面に結像される。
【００９９】
角膜Ｃｒ（角膜頂点）の位置がＺ方向に変化すると、ラインセンサー１３のセンサー面における光の投射位置が変化する。コンピュータ９は、ラインセンサー１３のセンサー面における光の投射位置に基づいて眼Ｅの角膜頂点の位置を求め、これに基づき光学系を移動させる機構を制御してＺアライメントを実行する。このＺアライメント手法は、光テコを利用したアライメント手法の例である。
【０１００】
ラインセンサー１３の代わりに、任意の１次元又は２次元イメージセンサーを用いることができる。すなわち、Ｚアライメント系に設けられる光検出器は、複数の光検出素子（フォトダイオード等）が１次元的又は２次元的に配列された任意のイメージセンサーであってよい。
【０１０１】
ＸＹアライメント系２は、前眼部観察系５の光軸に直交する方向（左右方向（Ｘ方向）、上下方向（Ｙ方向））のアライメントを行うための光束（赤外光）を眼Ｅに照射する。ＸＹアライメント系２は、ハーフミラー２３により前眼部観察系５の光路から分岐された光路に設けられたＸＹアライメント光源２１とコリメータレンズ２２とを含む。ＸＹアライメント光源２１から出力された光は、コリメータレンズ２２を通過し、ハーフミラー２３により反射され、前眼部観察系５を通じて眼Ｅに投射される。眼Ｅの角膜Ｃｒによる反射光は、前眼部観察系５を通じて撮像素子５９に導かれる。
【０１０２】
この反射光に基づく像（輝点像）Ｂｒは前眼部像Ｅ´に含まれる。コンピュータ９は、輝点像Ｂｒを含む前眼部像Ｅ´とアライメントマークＡＬとを表示部１０の表示画面１０ａに表示させる。手動でＸＹアライメントを行う場合、ユーザは、アライメントマークＡＬ内に輝点像Ｂｒを誘導するように光学系の移動操作を行う。自動でアライメントを行う場合、コンピュータ９は、アライメントマークＡＬに対する輝点像Ｂｒの偏位がキャンセルされるように、光学系を移動させる機構を制御する。
【０１０３】
ケラト測定系３は、眼Ｅの角膜Ｃｒの形状を測定するためのリング状光束（赤外光）を角膜Ｃｒに投射する。ケラト板３１は、対物レンズ５１と眼Ｅとの間に配置されている。ケラト板３１の背面側（対物レンズ５１側）にはケラトリング光源３２が設けられている。ケラトリング光源３２からの光でケラト板３１を照明することにより、眼Ｅの角膜Ｃｒにリング状光束（円弧状又は円周状の測定パターン）が投射される。眼Ｅの角膜Ｃｒからの反射光（ケラトリング像）は撮像素子５９により前眼部像Ｅ´とともに検出される。コンピュータ９は、このケラトリング像を基に公知の演算を行うことで、角膜Ｃｒの形状を表す角膜形状パラメータの値を算出する。典型的な角膜形状パラメータとして角膜曲率半径（角膜曲率）がある。
【０１０４】
なお、ケラト測定系３の代わりに、又はこれに加えて、眼科装置２０００は、角膜トポグラフィ系（角膜トポグラファ）を備えていてもよい。角膜トポグラフィ系は、前述した角膜トポグラムを取得するための要素群を含む（例えば、特開平８−２８０６２４号公報を参照）。角膜トポグラフィ系は、プラチドリングと呼ばれる多重同心円パターンを角膜Ｃｒに投影する。角膜Ｃｒからの反射光（プラチドリング像）は撮像素子５９により前眼部像Ｅ´とともに検出される。コンピュータ９は、このプラチドリング像を基に公知の演算を行うことで、角膜Ｃｒの形状を表す角膜形状パラメータの分布を求める。得られた分布データを擬似カラー表現することにより角膜トポグラムが提供される。
【０１０５】
レフ測定光学系は、屈折力測定に用いられるレフ測定投射系６及びレフ測定受光系７を含む。レフ測定投射系６は、屈折力測定用の光束（例えば、リング状光束）を眼底Ｅｆに投射する。この光束は、典型的には赤外光である。レフ測定受光系７は、この光束の眼Ｅからの戻り光を検出する。レフ測定投射系６は、レフ測定受光系７の光路に設けられた孔開きプリズム６５によって分岐された光路に設けられる。孔開きプリズム６５に形成されている孔部は、瞳孔共役位置に配置される。レフ測定受光系７を経由する光学系において、撮像素子５９の撮像面は眼底共役位置に配置される。
【０１０６】
本態様では、レフ測定光源６１は、例えば、高輝度光源であるスーパールミネセントダイオード（ＳＬＤ）であってよい。レフ測定光源６１は、光軸方向に移動可能である。レフ測定光源６１は、眼底共役位置に配置される。レフ測定光源６１から出力された光は、リレーレンズ６２を通過し、円錐プリズム６３の円錐面に入射する。円錐面に入射した光は偏向され、円錐プリズム６３の底面から出射する。円錐プリズム６３の底面から出射した光は、リング絞り６４にリング状に形成された透光部を通過する。リング絞り６４の透光部を通過した光（リング状光束）は、孔開きプリズム６５の孔部の周囲に形成された反射面により反射され、ロータリープリズム６６を通過し、ダイクロイックミラー６７により反射される。ダイクロイックミラー６７により反射された光は、ダイクロイックミラー５２により反射され、対物レンズ５１を通過し、眼Ｅに投射される。ロータリープリズム６６は、眼底Ｅｆの血管や疾患部位に対するリング状光束の光量分布を平均化や光源に起因するスペックルノイズの低減のために用いられる。
【０１０７】
眼底Ｅｆに投射されたリング状光束の戻り光は、対物レンズ５１を通過し、ダイクロイックミラー５２及びダイクロイックミラー６７により反射される。ダイクロイックミラー６７により反射された戻り光は、ロータリープリズム６６を通過し、孔開きプリズム６５の孔部を通過し、リレーレンズ７１を通過し、反射ミラー７２により反射され、リレーレンズ７３及び合焦レンズ７４を通過する。合焦レンズ７４は、レフ測定受光系７の光軸に沿って移動可能である。合焦レンズ７４を通過した光は、反射ミラー７５により反射され、ダイクロイックミラー７６により反射され、結像レンズ５８により撮像素子５９の撮像面に結像される。コンピュータ９は、撮像素子５９からの出力を基に公知の演算を行うことで眼Ｅの屈折力値を算出する。例えば、屈折力値は、球面度数、乱視度数及び乱視軸角度、及び等価球面度数のうちの少なくとも１つを含む。
【０１０８】
ダイクロイックミラー６７によりレフ測定光学系の光路から波長分離された光路にＯＣＴ光学系８が設けられる。ダイクロイックミラー８３によりＯＣＴ光学系８の光路から分岐された光路に固視投影系４が設けられる。
【０１０９】
固視投影系４は、固視標を眼Ｅに呈示する。固視投影系４の光路には、固視ユニット４０が配置されている。固視ユニット４０は、後述のコンピュータ９からの制御を受け、固視投影系４の光路に沿って移動可能である。固視ユニット４０は、液晶パネル４１を含む。
【０１１０】
コンピュータ９による制御を受けた液晶パネル４１は、固視標を表すパターンを表示する。液晶パネル４１の画面上におけるパターンの表示位置を変更することにより、眼Ｅの固視位置を変更できる。固視位置としては、黄斑部を中心とする画像を取得するための位置や、視神経乳頭を中心とする画像を取得するための位置や、黄斑部と視神経乳頭との間の眼底中心を中心とする画像を取得するための位置などがある。固視標を表すパターンの表示位置を任意に変更することが可能である。なお、液晶パネル４１に代えて、フィルム等に視標等が印刷された透過型の視標チャートと、視標チャートを照明する照明用光源とが設けられていてもよい。
【０１１１】
液晶パネル４１からの光は、リレーレンズ４２を通過し、ダイクロイックミラー８３を透過し、リレーレンズ８２を通過し、反射ミラー８１により反射され、ダイクロイックミラー６７を透過し、ダイクロイックミラー５２により反射される。ダイクロイックミラー５２により反射された光は、対物レンズ５１を通過して眼底Ｅｆに投射される。幾つかの態様では、液晶パネル４１及びリレーレンズ４２のそれぞれは、独立に光軸方向に移動可能である。
【０１１２】
ＯＣＴ光学系８は、眼ＥにＯＣＴを適用するための光学系である。ＯＣＴよりも前に実施されたレフ測定結果に基づいて、光ファイバーｆ１の端面が撮影部位（眼底Ｅｆ又は前眼部）と共役となるように合焦レンズ８７の位置が調整される。
【０１１３】
ＯＣＴ光学系８は、ダイクロイックミラー６７によりレフ測定光学系の光路から波長分離された光路に設けられる。上記の固視投影系４の光路は、ダイクロイックミラー８３によりＯＣＴ光学系８の光路に結合される。それにより、ＯＣＴ光学系８及び固視投影系４のそれぞれの光軸を同軸で結合することができる。
【０１１４】
ＯＣＴ光学系８は、ＯＣＴユニット１００を含む。図４に示すように、ＯＣＴユニット１００において、ＯＣＴ光源１０１は、一般的なスウェプトソースタイプのＯＣＴ装置と同様に、出射光の波長を掃引可能な波長可変光源を含む。波長可変光源は、共振器を含むレーザー光源を含む。ＯＣＴ光源１０１は、人眼では視認できない近赤外の波長帯において、出力波長を時間的に変化させる。ＯＣＴ光源１０１は、例えば、出射光の波長（１０００ｎｍ〜１１００ｎｍの波長範囲）を高速で変化させる近赤外波長可変レーザーを含む。
【０１１５】
図４に例示するように、ＯＣＴユニット１００には、スウェプトソースＯＣＴを実行するための光学系が設けられている。この光学系は、干渉光学系を含む。この干渉光学系は、波長可変光源からの光を測定光と参照光とに分割する機能と、眼Ｅからの測定光の戻り光と参照光路を経由した参照光とを重ね合わせて干渉光を生成する機能と、この干渉光を検出する機能とを備える。干渉光学系により得られた干渉光の検出結果（検出信号）は、干渉光のスペクトルを表す信号であり、コンピュータ９に送られる。また、測定光の光路（測定アーム、サンプルアーム）の長さ、及び、参照光の光路（参照アーム）の長さの少なくとも一方が可変である。
【０１１６】
ＯＣＴ光源１０１から出力された光Ｌ０は、光ファイバー１０２により偏波コントローラ１０３に導かれてその偏光状態が調整される。偏光状態が調整された光Ｌ０は、光ファイバー１０４によりファイバーカプラー１０５に導かれて測定光ＬＳと参照光ＬＲとに分割される。
【０１１７】
参照光ＬＲは、光ファイバー１１０によりコリメータ１１１に導かれて平行光束に変換され、光路長補正部材１１２及び分散補償部材１１３を経由し、コーナーキューブ１１４に導かれる。光路長補正部材１１２は、参照光ＬＲの光路長と測定光ＬＳの光路長とを合わせるよう作用する。分散補償部材１１３は、参照光ＬＲと測定光ＬＳとの間の分散特性を合わせるよう作用する。コーナーキューブ１１４は、参照光ＬＲの入射方向に移動可能であり、それにより参照光ＬＲの光路長が変更される。
【０１１８】
コーナーキューブ１１４を経由した参照光ＬＲは、分散補償部材１１３及び光路長補正部材１１２を経由し、コリメータ１１６によって平行光束から集束光束に変換され、光ファイバー１１７に入射する。光ファイバー１１７に入射した参照光ＬＲは、偏波コントローラ１１８に導かれてその偏光状態が調整され、光ファイバー１１９によりアッテネータ１２０に導かれて光量が調整され、光ファイバー１２１によりファイバーカプラー１２２に導かれる。
【０１１９】
一方、ファイバーカプラー１０５により生成された測定光ＬＳは、光ファイバーｆ１により導かれてコリメータレンズユニット８９により平行光束に変換され、光スキャナー８８、合焦レンズ８７、リレーレンズ８５、及び反射ミラー８４を経由し、ダイクロイックミラー８３により反射される。
【０１２０】
光スキャナー８８は、測定光ＬＳを１次元的又は２次元的に偏向する。光スキャナー８８は、例えば、第１ガルバノミラーと、第２ガルバノミラーとを含む。第１ガルバノミラーは、ＯＣＴ光学系８の光軸に直交する水平方向（Ｘ方向）に撮影部位（眼底Ｅｆ又は前眼部）をスキャンするように測定光ＬＳを偏向する。第２ガルバノミラーは、ＯＣＴ光学系８の光軸に直交する上下方向（Ｙ方向）に撮影部位をスキャンするように、第１ガルバノミラーにより偏向された測定光ＬＳを偏向する。このような光スキャナー８８による測定光ＬＳのスキャンパターンとしては、例えば、水平スキャン、垂直スキャン、十字スキャン、放射スキャン、円スキャン、同心円スキャン、螺旋スキャンなどがある。
【０１２１】
ダイクロイックミラー８３により反射された測定光ＬＳは、リレーレンズ８２を通過し、反射ミラー８１により反射され、ダイクロイックミラー６７を透過し、ダイクロイックミラー５２により反射され、対物レンズ５１により屈折されて眼Ｅに入射する。測定光ＬＳは、眼Ｅの様々な深さ位置において散乱・反射される。眼Ｅからの測定光ＬＳの戻り光は、往路と同じ経路を逆向きに進行してファイバーカプラー１０５に導かれ、光ファイバー１２８を経由してファイバーカプラー１２２に到達する。
【０１２２】
ファイバーカプラー１２２は、光ファイバー１２８を介して入射された測定光ＬＳと、光ファイバー１２１を介して入射された参照光ＬＲとを重ね合わせて干渉光を生成する。ファイバーカプラー１２２は、所定の分岐比（例えば１：１）で干渉光を分岐することにより、一対の干渉光ＬＣを生成する。一対の干渉光ＬＣは、それぞれ光ファイバー１２３及び１２４を通じて検出器１２５に導かれる。
【０１２３】
検出器１２５は、例えばバランスドフォトダイオードである。バランスドフォトダイオードは、一対の干渉光ＬＣをそれぞれ検出する一対のフォトディテクタを含み、これらフォトディテクタにより得られた一対の検出結果の差分を出力する。検出器１２５は、この出力（検出信号）をデータ収集システム（ＤＡＱ）１３０に送る。
【０１２４】
ＤＡＱ１３０には、ＯＣＴ光源１０１からクロックＫＣが供給される。クロックＫＣは、ＯＣＴ光源１０１において、波長可変光源により所定の波長範囲内で掃引される各波長の出力タイミングに同期して生成される。ＯＣＴ光源１０１は、例えば、各出力波長の光Ｌ０を分岐することにより得られた２つの分岐光の一方を光学的に遅延させた後、これらの合成光を検出した結果に基づいてクロックＫＣを生成する。ＤＡＱ１３０は、検出器１２５から入力される検出信号をクロックＫＣに基づきサンプリングする。ＤＡＱ１３０は、検出器１２５からの検出信号のサンプリング結果をコンピュータ９に送られる。コンピュータ９は、例えば一連の波長掃引毎に（Ａライン毎に）、サンプリングデータに基づくスペクトル分布にフーリエ変換等を施すことにより、各Ａラインにおける反射強度プロファイルを形成する。更に、コンピュータ９は、各Ａラインの反射強度プロファイルを画像化することにより画像データを形成する。
【０１２５】
本例では、測定アーム長と参照アーム長との間の差を変更してコヒーレンスゲートを移動するために参照アーム長を変更する要素（移動可能なコーナーキューブ１１４）が設けられているが、他の要素を採用してもよい。例えば、移動可能なミラーを参照アームに設けることや、移動可能なコーナーキューブ等のリトロリフレクタを測定アームに設けることが可能である。
【０１２６】
コンピュータ９は、レフ測定光学系を用いて得られた測定結果から屈折力値を算出し、算出された屈折力値に基づいて、眼底Ｅｆとレフ測定光源６１と撮像素子５９とが共役となる位置に、レフ測定光源６１及び合焦レンズ７４それぞれを光軸方向に移動させる。幾つかの態様では、コンピュータ９は、合焦レンズ７４の移動に連動してＯＣＴ光学系８の合焦レンズ８７をその光軸方向に移動させる。幾つかの態様では、コンピュータ９は、レフ測定光源６１及び合焦レンズ７４の移動に連動して液晶パネル４１（固視ユニット４０）をその光軸方向に移動させる。これらの他にも、コンピュータ９は、各種の制御、各種のデータ処理、各種の演算などを実行する。
【０１２７】
眼科装置２０００の処理系の構成について説明する。眼科装置２０００の処理系の機能的構成の例を図５及び図６に示す。図５は、眼科装置２０００の処理系の機能ブロック図の一例を表す。図６は、眼に対するオルソＫレンズの装着状態の評価を実行するための主要な要素群の機能ブロック図の一例を表す。
【０１２８】
コンピュータ９は、眼科装置２０００の各部の制御、各種のデータ処理、各種の演算などを実行する。コンピュータ９は、１以上のプロセッサと、１以上の記憶装置とを含む。記憶装置は、例えば、ハードディスクドライブ、ＲＡＭ、ＲＯＭ、半導体メモリなどを含む。
【０１２９】
記憶装置には、１以上の制御プログラム、１以上のデータ処理プログラム、１以上の演算プログラムなど、各種のプログラム（ソフトウェア）が記憶される。いずれかのプロセッサがいずれかのプログラムにしたがって動作することで、コンピュータ９は、制御、データ処理、演算などを実行する。すなわち、コンピュータ９は、プロセッサ等のハードウェアとソフトウェアとの協働により、制御、データ処理、演算などを実行する。
【０１３０】
コンピュータ９は、制御部２１０と、演算処理部２２０とを含む。また、眼科装置２０００は、移動機構２００と、表示部２７０と、操作部２８０と、通信部２９０とを含む。
【０１３１】
移動機構２００は、眼科装置２０００のヘッド部を前後左右方向に移動させるための機構である。ヘッド部には、Ｚアライメント系１、ＸＹアライメント系２、ケラト測定系３、固視投影系４、前眼部観察系５、レフ測定投射系６、レフ測定受光系７、及び、ＯＣＴ光学系８（少なくともＯＣＴユニット１００を除く要素群）などが収容されている。例えば、移動機構２００には、ヘッド部を移動するための駆動力を発生するアクチュエータと、この駆動力を伝達する伝達機構とが設けられる。アクチュエータは、例えばパルスモータにより構成される。伝達機構は、例えば歯車の組み合わせやラック・アンド・ピニオンなどによって構成される。制御部２１０（主制御部２１１）は、アクチュエータに制御信号を送ることによって移動機構２００に対する制御を行う。
【０１３２】
制御部２１０は、１以上のプロセッサを含み、眼科装置２０００の各部を制御する。制御部２１０は、主制御部２１１と、記憶部２１２とを含む。記憶部２１２には、眼科装置２０００を制御するためのプログラム群があらかじめ格納される。プログラム群には、光源制御用プログラム、検出器制御用プログラム、光スキャナー制御用プログラム、光学系制御用プログラム、アライメント制御用プログラム、演算処理用プログラム、及びユーザインターフェイス用プログラムなどが含まれる。このようなプログラムにしたがって眼科装置２０００は演算や制御を実行する。
【０１３３】
主制御部２１１は、眼科装置２０００の各種制御を行う。Ｚアライメント系１に対する制御には、Ｚアライメント光源１１の制御、ラインセンサー１３の制御などがある。Ｚアライメント光源１１の制御には、光源の点灯、消灯、光量調整、絞り調整などがある。ラインセンサー１３の制御には、検出素子の露光調整やゲイン調整や検出レート調整などがある。それにより、Ｚアライメント光源１１の点灯と非点灯とが切り替えられたり、光量が変更されたりする。主制御部２１１は、ラインセンサー１３により検出された信号を取り込み、取り込まれた信号に基づいてラインセンサー１３に対する光の投影位置を特定する。主制御部２１１は、特定された投影位置に基づいて眼Ｅの角膜頂点の位置を求め、これに基づき移動機構２００を制御してヘッド部を前後方向に移動させる（Ｚアライメント）。
【０１３４】
ＸＹアライメント系２に対する制御には、ＸＹアライメント光源２１の制御などがある。ＸＹアライメント光源２１の制御には、光源の点灯、消灯、光量調整、絞り調整などがある。それにより、ＸＹアライメント光源２１の点灯と非点灯とが切り替えられたり、光量が変更されたりする。主制御部２１１は、撮像素子５９により検出された信号を取り込み、取り込まれた信号に基づいてＸＹアライメント光源２１からの光の戻り光に基づく輝点像の位置を特定する。主制御部２１１は、所定の目標位置（例えば、アライメントマークＡＬの中心位置）に対する輝点像Ｂｒの偏位がキャンセルされるように移動機構２００を制御してヘッド部を左右上下方向に移動させる（ＸＹアライメント）。
【０１３５】
ケラト測定系３に対する制御には、ケラトリング光源３２の制御などがある。ケラトリング光源３２の制御には、光源の点灯、消灯、光量調整、絞り調整などがある。それにより、ケラトリング光源３２の点灯と非点灯とが切り替えられたり、光量が変更されたりする。主制御部２１１は、撮像素子５９により検出されたケラトリング像に対する公知の演算を演算処理部２２０に実行させる。それにより、眼Ｅの角膜形状パラメータの値が求められる。前述した角膜トポグラフィ系が設けられている場合にも、主制御部２１１は同様の処理を実行する。
【０１３６】
固視投影系４に対する制御には、液晶パネル４１の制御や固視ユニット４０の移動制御などがある。液晶パネル４１の制御には、固視標の表示のオン・オフや、固視標の表示位置の切り替えなどがある。
【０１３７】
例えば、固視投影系４には、液晶パネル４１（又は固視ユニット４０）を光軸方向に移動する移動機構が設けられる。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、少なくとも液晶パネル４１を光軸方向に移動させる。それにより、液晶パネル４１と眼底Ｅｆとが光学的に共役となるように液晶パネル４１の位置が調整される。
【０１３８】
前眼部観察系５に対する制御には、前眼部照明光源５０の制御、撮像素子５９の制御などがある。前眼部照明光源５０の制御には、光源の点灯、消灯、光量調整、絞り調整などがある。それにより、前眼部照明光源５０の点灯と非点灯とが切り替えられたり、光量が変更されたりする。撮像素子５９の制御には、撮像素子５９の露光調整やゲイン調整や検出レート調整などがある。主制御部２１１は、撮像素子５９により検出された信号を取り込み、取り込まれた信号に基づく画像の形成等の処理を演算処理部２２０に実行させる。
【０１３９】
レフ測定投射系６に対する制御には、レフ測定光源６１の制御、ロータリープリズム６６の制御などがある。レフ測定光源６１の制御には、光源の点灯、消灯、光量調整、絞り調整などがある。それにより、レフ測定光源６１の点灯と非点灯とが切り替えられたり、光量が変更されたりする。例えば、レフ測定投射系６は、レフ測定光源６１を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、レフ測定光源６１を光軸方向に移動させる。ロータリープリズム６６の制御には、ロータリープリズム６６の回転制御などがある。例えば、ロータリープリズム６６を回転させる回転機構が設けられており、主制御部２１１は、この回転機構を制御することによりロータリープリズム６６を回転させる。
【０１４０】
レフ測定受光系７に対する制御には、合焦レンズ７４の制御などがある。合焦レンズ７４の制御には、合焦レンズ７４の光軸方向への移動制御などがある。例えば、レフ測定受光系７は、合焦レンズ７４を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ７４を光軸方向に移動させる。主制御部２１１は、レフ測定光源６１と眼底Ｅｆと撮像素子５９とが光学的に共役となるように、例えば眼Ｅの屈折力に応じてレフ測定光源６１及び合焦レンズ７４をそれぞれ光軸方向に移動させることが可能である。
【０１４１】
ＯＣＴ光学系８に対する制御には、ＯＣＴ光源１０１の制御、光スキャナー８８の制御、合焦レンズ８７の制御、コーナーキューブ１１４の制御、検出器１２５の制御、ＤＡＱ１３０の制御などがある。ＯＣＴ光源１０１の制御には、光源の点灯、消灯、光量調整、絞り調整などがある。光スキャナー８８の制御には、第１ガルバノミラーによるスキャン位置やスキャン範囲やスキャン速度の制御、第２ガルバノミラーによるスキャン位置やスキャン範囲やスキャン速度の制御などがある。
【０１４２】
合焦レンズ８７の制御には、合焦レンズ８７の光軸方向への移動制御、撮影部位に対応した合焦基準位置への合焦レンズ８７の移動制御、撮影部位に対応した移動範囲（合焦範囲）内での移動制御などがある。例えば、ＯＣＴ光学系８は、合焦レンズ８７を光軸方向に移動する移動機構を含む。この移動機構には、移動機構２００と同様に、当該移動機構を移動するための駆動力を発生するアクチュエータと、この駆動力を伝達する伝達機構とが設けられる。主制御部２１１は、アクチュエータに対して制御信号を送ることにより移動機構に対する制御を行い、合焦レンズ８７を光軸方向に移動させる。幾つかの態様では、眼科装置２０００には、合焦レンズ７４及び８７を保持する保持部材と、保持部材を駆動する駆動部が設けられる。主制御部２１１は、駆動部を制御することにより合焦レンズ７４及び８７の移動制御を行う。主制御部２１１は、例えば、合焦レンズ７４の移動に連動して合焦レンズ８７を移動させた後、干渉信号の強度に基づいて合焦レンズ８７だけを移動させるようにしてもよい。
【０１４３】
コーナーキューブ１１４の制御には、コーナーキューブ１１４の光路に沿った移動制御などがある。例えば、ＯＣＴ光学系８は、コーナーキューブ１１４を光路に沿った方向に移動する移動機構を含む。この移動機構には、移動機構２００と同様に、コーナーキューブ１１４を移動するための駆動力を発生するアクチュエータと、この駆動力を伝達する伝達機構とが設けられる。主制御部２１１は、アクチュエータに対して制御信号を送ることにより移動機構に対する制御を行い、コーナーキューブ１１４を光路に沿った方向に移動させる。検出器１２５の制御には、検出素子の露光調整やゲイン調整や検出レート調整などがある。主制御部２１１は、検出器１２５により検出された信号のサンプリングをＤＡＱ１３０に実行させ、サンプリングされた信号に基づく画像構築等の処理を演算処理部２２０（画像形成部２２２）に実行させる。
【０１４４】
また、主制御部２１１は、眼屈折力算出部２２１により算出された屈折力の測定値、画像形成部２２２により形成された断層像（ＯＣＴ画像）、後述のデータ処理部２２３により得られた結果に対応した情報などを、表示部２７０に表示させる。
【０１４５】
記憶部２１２は、各種のデータを記憶する。記憶部２１２に記憶されるデータの例として、他覚測定により得られたデータ、ＯＣＴスキャンにより得られたデータ、断層像の画像データ、前眼部像の画像データ、データ処理部２３０に供給されるデータ、データ処理部２３０により生成されたデータ、被検眼情報などがある。被検眼情報は、左眼／右眼の識別情報などの被検眼に関する情報を含む。また、記憶部２１２は、オルソＫレンズの設計データ２１２１を予め記憶する。設計データ２１２１は、第１の態様の設計データ１０１５の例である。
【０１４６】
演算処理部２２０は、眼屈折力算出部２２１と、画像形成部２２２と、データ処理部２２３とを含む。
【０１４７】
眼屈折力算出部２２１は、レフ測定投射系６により眼底Ｅｆに投影されたリング状光束（リング状の測定パターン）の戻り光を撮像素子５９が検出することにより得られたリング像（パターン像）を解析する。例えば、眼屈折力算出部２２１は、得られたリング像が描出された画像における輝度分布からリング像の重心位置を求め、この重心位置から放射状に延びる複数のスキャン方向に沿った輝度分布を求め、この輝度分布からリング像を特定する。続いて、眼屈折力算出部２２１は、特定されたリング像の近似楕円を求め、この近似楕円の長径及び短径を公知の式に代入することによって球面度数、乱視度数及び乱視軸角度（屈折力値）を求める。或いは、眼屈折力算出部２２１は、基準パターンに対するリング像の変形及び偏位に基づいて眼屈折力のパラメータを求めることができる。
【０１４８】
また、眼屈折力算出部２２１は、前眼部観察系５により取得されたケラトリング像に基づいて角膜曲率半径（角膜曲率）を算出する。例えば、眼屈折力算出部２２１は、ケラトリング像を解析することにより角膜前面の強主経線の曲率半径と弱主経線の曲率半径とを算出し、これら曲率半径に統計処理を適用して角膜曲率半径を算出する。この統計処理は、例えば、平均化、最大値の選択、又は最小値の選択であってよい。眼屈折力算出部２２１は、算出された角膜曲率半径に基づいて、角膜屈折力、角膜乱視度及び角膜乱視軸角度を算出することができる。
【０１４９】
角膜曲率半径を求めるための手法はケラトリングを用いる手法に限定されない。例えば、前述した角膜トポグラフィ系（プラチドリング）を用いる手法の他にも、スリットスキャンを用いる手法、シャインプルーフカメラを用いる手法、前眼部ＯＣＴを用いる手法など、任意の角膜形状解析手法を適用することが可能である。眼屈折力算出部２２１は、第１の態様における角膜形状測定部１０２０の一部としての機能を有する。
【０１５０】
画像形成部２２２は、ＯＣＴ光学系８（ＤＡＱ１３０）からの出力に基づいて、眼Ｅ（眼底Ｅｆ、前眼部など）の断層像の画像データを形成する。この画像形成処理は、従来の（スウェプトソース）ＯＣＴと同様に、フィルター処理、高速フーリエ変換（ＦＦＴ）などを含む。このような処理によりＡライン（眼Ｅ内における測定光ＬＳのスキャン経路）における反射強度プロファイルが取得され、この反射強度プロファイルを画像化することでこのＡラインの画像データ（Ａスキャンデータ）が形成される。
【０１５１】
更に、画像形成部２２２は、ＯＣＴスキャン（測定光ＬＳの偏向、Ａスキャン位置の移動）のモードにしたがって複数のＡスキャンデータを形成し、これらＡスキャンデータを配列することで２次元画像データや３次元画像データを構築することができる。
【０１５２】
ラスタースキャン等により複数の断層像データ（スタックデータ）が得られた場合、画像形成部２２２は、これら断層像データに補間処理等のボクセル化処理を適用することによりボクセルデータ（ボリュームデータ）を構築することができる。更に、画像形成部２２２は、スタックデータ又はボリュームデータをレンダリングすることができる。レンダリングの手法は任意であり、例えば、ボリュームレンダリング、多断面再構成（ＭＰＲ）、サーフェスレンダリングなどであってよい。また、画像形成部２２２は、スタックデータ又はボリュームデータから平面画像（例えば、正面画像）を構築することができる。例えば、画像形成部２２２は、スタックデータ又はボリュームデータを各Ａラインに沿って積算することによりプロジェクション画像を構築することができる。
【０１５３】
データ処理部２２３は、様々なデータ処理を実行可能である。データ処理部２２３は、ＯＣＴスキャンを用いて取得されたデータ（ＯＣＴデータ）を処理することができる。ＯＣＴデータは、例えば、反射強度プロファイル又は画像データである。データ処理部２２３は、前眼部観察系５により得られた画像や、Ｚアライメント系１のラインセンサー１３から出力された信号（データ）を処理することができる。データ処理部２２３は、ここに例示したデータ以外のデータを処理することも可能である。
【０１５４】
例えば、データ処理部２２３は、スタックデータ又はボリュームデータにセグメンテーションを適用することができる。セグメンテーションは、画像データ中の部分領域を特定するための公知の処理である。データ処理部２２３は、ＯＣＴ画像（２次元断層像、３次元画像など）の輝度値に基づきセグメンテーションを行う。例えば、眼底Ｅｆにおける複数の層組織はそれぞれ特徴的な反射率を有し、これら層組織の画像領域もそれぞれ特徴的な輝度値を有する。データ処理部２２３は、これら特徴的な輝度値に基づき目的の画像領域を特定するようにセグメンテーションを実行する。目的の画像領域は、例えば、内境界膜、神経繊維層、神経節細胞層、内網状層、内顆粒層、外網状層、外顆粒層、外境界膜、視細胞層、網膜色素上皮層、脈絡膜、強膜など、眼底Ｅｆの任意の組織に相当する。
【０１５５】
図６に示すように、データ処理部２２３は、評価部２２３１を含む。前述したように、眼屈折力算出部２２１は、角膜形状測定部１０２０の一部（解析部）として機能する。
【０１５６】
本態様において、前眼部観察系５は、オルソＫレンズを外した後の眼Ｅを撮影して画像（撮影画像）を取得する。撮影画像は、眼Ｅの角膜形状を測定するために眼屈折力算出部２２１（解析部）に提供される。前述したように、眼屈折力算出部２２１は、ケラト測定又は角膜トポグラフィによる測定データである角膜形状データ（典型的には、角膜曲率分布データ、角膜曲率半径分布データ、又は高さ分布データ）を生成する。眼屈折力算出部２２１（解析部）は、第１の態様の角膜形状測定部１０２０と同様のデータ処理を実行するように構成されている。本態様の前眼部観察系５及び眼屈折力算出部２２１（解析部）は、第１の態様の角膜形状測定部１０２０として機能する。なお、前眼部ＯＣＴ画像から角膜形状データを生成する場合には、ＯＣＴ光学系８、画像形成部２２２、及び眼屈折力算出部２２１（解析部）が、第１の態様の角膜形状測定部１０２０として機能する。
【０１５７】
評価部２２３１は、眼屈折力算出部２２１により取得された角膜形状データと、記憶部２１２に記憶されている設計データ２１２１とに基づいて、眼Ｅに対する当該オルソＫレンズの装着状態の評価を実行する。評価部２２３１は、第１の態様の評価部１０４０として機能し、これと同様のデータ処理を実行するように構成されている。
【０１５８】
本態様に係る眼科装置２０００の動作について説明する。眼科装置２０００の動作の例を図７に示す。眼科装置２０００の記憶装置（例えば記憶部２１２）には、図７に示す動作例を実現するためのソフトウェアが記憶されている。眼科装置２０００は、このソフトウェアにしたがって動作することにより、図７に示す一連の処理を実行する。なお、記憶部２１２に設計データ２１２１を記憶させる処理は既に行われたとする。
【０１５９】
（Ｓ１１：オルソＫレンズを眼から外す）
まず、評価対象のオルソＫレンズを眼Ｅから外す。
【０１６０】
（Ｓ１２：アライメント等の準備動作を行う）
次に、第１の態様のステップＳ２と同じ要領で、所定の準備動作が行われる。
【０１６１】
（Ｓ１３：角膜へのパターン光の投射を開始する）
次に、眼科装置２０００は、ケラト測定系３又は角膜トポグラフィ系によって、眼Ｅの角膜にパターン光を投射する。パターン光の投射は、少なくとも、前眼部像が取得されるまで継続される。
【０１６２】
（Ｓ１４：前眼部像をキャプチャする）
次に、眼科装置２０００は、角膜にパターン光が投射されている状態の眼Ｅの前眼部像を取得する。典型的には、眼科装置２０００は、ステップＳ１２において前眼部観察系５による前眼部の動画撮影を開始し、ステップＳ１３の後に得られたフレームをキャプチャする。
【０１６３】
取得された前眼部像は、パターン光により形成されたパターン像だけでなく、ＸＹアライメント系２からの光束の像（輝点像、プルキンエ像）を描出したものであってもよい。或いは、眼科装置２０００は、パターン像が描出された前眼部像と、輝点像が描出された前眼部像とを別々に取得してもよい。
【０１６４】
（Ｓ１５：角膜頂点を検出する）
データ処理部２２３は、ステップＳ１４で取得された前眼部像を解析して角膜頂点を検出する。これにより、オルソＫレンズを外した後の眼Ｅの角膜頂点の位置データが得られる。つまり、オルソＫレンズにより角膜が変形された眼Ｅの角膜頂点の位置データが得られる。
【０１６５】
ＸＹアライメント系２からの光束の像（輝点像、プルキンエ像）が前眼部像に描出されている場合、データ処理部２２３は、この輝点像のＸ座標及びＹ座標を角膜頂点の２次元位置データとして求めることができる。また、ＸＹアライメント系２からの光束の像が前眼部像に描出されている場合であって、第１の態様で説明したステレオ撮影が可能である場合、データ処理部２２３は、互いに異なる方向から撮影された２つの前眼部像にそれぞれ描出された２つの輝点像から、角膜頂点の３次元位置データを求めることができる。一方、ＸＹアライメント系２からの光束の像が前眼部像に描出されていない場合、データ処理部２２３は、例えば、ケラト測定系３により投影されたケラトリング像（同心円状パターン像）のうち最も径が小さいリング像の中心を角膜頂点の２次元位置データとして求めることができる。
【０１６６】
（Ｓ１６：眼の角膜形状データを生成する）
眼屈折力算出部２２１（解析部）は、ステップＳ１４で取得された前眼部像を解析して角膜形状データ（例えば、角膜曲率分布データ又は角膜曲率半径分布データ）を生成する。また、眼屈折力算出部２２１（解析部）は、角膜曲率分布データを２回積分して得られる高さ分布データを角膜形状データとして生成してもよい。高さ分布データは、例えば、所定位置（例えば、角膜頂点位置）を基準とした相対的な高さを表現したデータである。
【０１６７】
（Ｓ１７：角膜形状データと設計データを比較する）
評価部２２３１は、ステップＳ１６で生成された角膜形状データと、記憶部２１２から読み出された設計データ２１２１とを比較する。この比較は、例えば、第１の態様のステップＳ５と同じ要領で実行される。
【０１６８】
（Ｓ１８：第１の差と第２の差を算出する）
評価部２２３１は、ステップＳ１７における角膜形状データと設計データ２１２１との比較により、２つ（以上）の測定値及び２つ（以上）の設計値に基づく第１の差を算出し、且つ、２つ（以上）の測定値に基づく第２の差を算出する。
【０１６９】
なお、第１の差及び第２の差のいずれか一方のみを算出するようにしてもよいし、他の演算値を求めるようにしてもよい。
【０１７０】
（Ｓ１９：第１の差＞閾値？、第２の差＞閾値？）
評価部２２３１は、ステップＳ１８で算出された第１の差を既定閾値と比較し、第２の差を既定閾値と比較する。例えば、第１の差及び第２の差のいずれか一方又は双方が閾値を超えると判定された場合（Ｓ１９：Ｙｅｓ）、処理はステップＳ２０に移行する。一方、第１の差及び第２の差の双方が閾値以下であると判定された場合（Ｓ１９：Ｎｏ）、本動作例の処理は終了となる（エンド）。
【０１７１】
（Ｓ２０：オルソＫレンズの処方を見直す）
第１の差及び第２の差のいずれか一方又は双方が閾値を超えると判定された場合（Ｓ１９：Ｙｅｓ）、ユーザ（医師等）は、眼Ｅに対するオルソＫレンズの処方を見直す。例えば、ユーザは、より眼Ｅに適合するオルソＫレンズの種類を決定し、処方する。
【０１７２】
ステップＳ２０（オルソＫレンズの処方の見直し）においては、例えば、オルソＫレンズの各種パラメータの見直し、最適値の探索、シミュレーションなどが行われる。オルソＫレンズのパラメータとしては、レンズ全体の径、レンズ中心部のベースカーブの径、オプティカルゾーン（トリートメントゾーン）の弦（ｃｈｏｒｄ）の寸法、遷移ゾーン（リターンゾーン）の幅・深さ、ペリフェラルゾーン（ランディングゾーン）の径・角度・幅、末端部の幅、屈折力などがある。
【０１７３】
第１の態様と同様に、眼科装置２０００は、ステップＳ１９で実行された評価の結果や、ステップＳ２０でなされた処方の見直しの結果を出力、保存、記録することができる。また、図７に示すステップの順序を任意に変更することができる。
【０１７４】
また、本動作例では、ステップＳ１５において角膜頂点を検出しているが、第１の態様で説明したように、眼の特定部位は角膜頂点に限定されず、瞳孔中心、虹彩径の中心、角膜直径の中心などであってもよい。角膜頂点以外の特定部位が採用される場合においても、本動作例と同様の処理を行うことが可能である。
【０１７５】
＜効果＞
以上に説明した例示的態様に係る眼科装置の幾つかの効果について説明する。
【０１７６】
例示的態様に係る眼科装置は、記憶部と、角膜形状測定部と、評価部とを含む。例えば、眼科装置１０００は、記憶部１０１０と、角膜形状測定部１０２０と、評価部１０４０とを含む。また、眼科装置２０００は、記憶部２１２と、前眼部観察系５及び眼屈折力算出部２２１（解析部）を含む角膜形状測定部と、評価部２２３１とを含む。
【０１７７】
記憶部は、オルソＫレンズの設計データを予め記憶する。角膜形状測定部は、オルソＫレンズを外した後の眼の角膜形状を測定する。評価部は、角膜形状測定部により取得された角膜形状データと設計データとに基づいて、当該眼に対する当該オルソＫレンズの装着状態の評価を実行する。
【０１７８】
このような例示的態様によれば、オルソＫレンズの装着位置の適否判定を自動で行うことができる。したがって、周辺視野の屈折状態がどのようになっているか（つまり、夜間にオルソＫレンズが適切な位置に装着されていたか否か）の判断材料や、期待された屈折矯正効果が実際に得られているか否かの判断材料を、ユーザ（医師等）に提供することが可能である。
【０１７９】
例示的態様に係る眼科装置において、角膜形状測定部は、眼の角膜における複数の位置のそれぞれについて所定の形状パラメータの値を求めることによって角膜形状データを生成するように構成されていてよい。更に、評価部は、これら複数の位置のうちの２以上の位置に対応する角膜形状データに含まれる２以上の値（２以上の測定値）と、当該２以上の位置に対応する設計データに含まれる２以上の設計値とを比較することによって、当該眼に対する当該オルソＫレンズの装着状態の評価を実行するように構成されてよい。このような構成によれば、角膜の複数の位置における形状測定値に基づきオルソＫレンズの装着位置の適否判定を好適に行うことができる。
【０１８０】
例示的態様に係る眼科装置は、オルソＫレンズを外した後の眼の特定部位を検出する特定部位検出部を更に含んでいてよい。例えば、眼科装置１０００では特定部位検出部１０３０が特定部位の検出を行い、眼科装置２０００はデータ処理部２２３が特定部位の検出を行う。特定部位は、例えば、角膜頂点、瞳孔中心、虹彩径の中心、及び角膜直径の中心のいずれかであってよい。更に、評価部は、検出された特定部位に関して対称な２以上の位置に対応する２以上の測定値と２以上の設計値とを比較することによって、当該眼に対する当該オルソＫレンズの装着状態の評価を実行するように構成されていてよい。このような構成によれば、典型的なオルソＫレンズの形状が有する対称性を利用してオルソＫレンズの装着位置の適否判定を行うことが可能である。
【０１８１】
例示的態様に係る眼科装置において、評価部は、上記２以上の測定値及び上記２以上の設計値から算出される差である第１の差を算出し、この第１の差に基づいて当該眼に対する当該オルソＫレンズの装着状態の評価を実行するように構成されていてよい。このような構成によれば、オルソＫレンズを外した後の角膜形状の測定値と、オルソＫレンズの設計値との差に基づいて、オルソＫレンズの装着位置の適否判定を行うことが可能である。
【０１８２】
例示的態様に係る眼科装置において、評価部は、上記２以上の測定値から算出される差である第２の差を算出し、この第２の差に基づいて当該眼に対する当該オルソＫレンズの装着状態の評価を実行するように構成されていてよい。このような構成によれば、オルソＫレンズを外した後の角膜形状の測定値間の差に基づいて、オルソＫレンズの装着位置の適否判定を行うことが可能である。
【０１８３】
例示的態様は、眼を撮影する撮影部と記憶部とプロセッサとを含む眼科装置を制御する方法を提供することができる。例えば、眼科装置１０００は、前眼部を撮影する撮影部（光学系、撮像素子、カメラ等）と、記憶部１０１０と、（１以上の）プロセッサとを含んでいる。また、眼科装置２０００は、撮影系として機能する前眼部観察系５と、記憶部２１２と、プロセッサを具備したコンピュータとを含んでいる。
【０１８４】
例示的態様に係る制御方法は、第１の制御ステップにおいて、オルソＫレンズの設計データを記憶部に格納するようにプロセッサを制御する。第２の制御ステップにおいて、オルソＫレンズを外した後の眼の撮影画像を取得するために撮影部を制御する。第３の制御ステップにおいて、当該眼の角膜形状データを取得するために撮影画像を解析するようにプロセッサを制御する。第４の制御ステップにおいて、角膜形状データと設計データとに基づいて当該眼に対する当該オルソケラトロジーレンズの装着状態の評価を実行するようにプロセッサを制御する。
【０１８５】
このような眼科装置の制御方法に対して、例示的態様に係る眼科装置に関して説明された事項のいずれかを組み合わせることが可能である。
【０１８６】
例示的態様に係る制御方法をコンピュータを含む眼科装置に実行させるプログラムを提供することができる。このプログラムに対して、例示的態様に係る眼科装置に関して説明された事項のいずれかを組み合わせることが可能である。
【０１８７】
このようなプログラムを記録したコンピュータ可読な非一時的記録媒体を作成することが可能である。この記録媒体に対して、例示的態様に係る眼科装置に関して説明された事項のいずれかを組み合わせることが可能である。この非一時的記録媒体は任意の形態であってよく、その例として、磁気ディスク、光ディスク、光磁気ディスク、半導体メモリなどがある。
【０１８８】
例示的態様に係る制御方法、プログラム、又は記録媒体によれば、オルソＫレンズの装着位置の適否判定を眼科装置に実行させることが可能になる。それにより、周辺視野の屈折状態がどのようになっているか（つまり、夜間にオルソＫレンズが適切な位置に装着されていたか否か）の判断材料や、期待された屈折矯正効果が実際に得られているか否かの判断材料を、眼科装置からユーザ（医師等）に直接的に又は間接的に提供することが可能になる。
【０１８９】
＜他の態様＞
上記の例示的態様では、眼を撮影する機能（撮影部）を具備した眼科装置について説明したが、実施形態はこれに限定されない。例えば、以下に説明する眼科情報処理装置は、撮影機能を有する他の眼科装置により取得された眼の画像を受けて一連の処理を実行するコンピュータである。
【０１９０】
例示的態様に係る眼科情報処理装置は、例えば、パーソナルコンピュータ、ローカルエリアネットワーク（ＬＡＮ）上に設けられたサーバ、ワイドエリアネットワーク（ＷＡＮ）上に設けられたサーバ（クラウドサーバ等）、又は、他の形態のコンピュータを含んでいてよい。
【０１９１】
例示的態様に係る眼科情報処理装置の構成を図８に示す。眼科情報処理装置３０００は、記憶部３０１０と、画像受付部３０２０と、解析部３０３０と、評価部３０４０と、制御部３０５０とを含む。
【０１９２】
記憶部３０１０は、オルソＫレンズの設計データ３０１５を予め記憶する。設計データ３０１５は、第１の態様における設計データ１０１５と同様のデータであってよい。記憶部３０１０は、例えば、ハードディスクドライブ、ＲＡＭ、ＲＯＭ、半導体メモリなどを含む。
【０１９３】
画像受付部３０２０は、他の眼科装置により眼を撮影して取得された画像を受け付ける。画像受付部３０２０は、例えば、通信デバイス及びドライブ装置のいずれかを含む。
【０１９４】
画像受付部３０２０の通信デバイスは、例えば、他の眼科装置からネットワークを介して撮影画像を受信する。或いは、画像受付部３０２０の通信デバイスは、他の眼科装置から画像アーカイビングシステムなどに保存された撮影画像をネットワークを介して受信する。
【０１９５】
画像受付部３０２０のドライブ装置は、他の眼科装置により取得されて記録媒体に記録された撮影画像を、当該記録媒体から読み出す。
【０１９６】
画像受付部３０２０は、オルソＫレンズを外した後の眼の撮影画像を受け付ける。また、画像受付部３０２０は、設計データ３０１５などを受け付けてもよい。
【０１９７】
解析部３０３０は、眼科装置１０００の角膜形状測定部１０２０のプロセッサと同様のデータ処理（眼科装置２０００の眼屈折力算出部２２１と同様のデータ処理）を実行するように構成されており、画像受付部３０２０により受け付けられた撮影画像を解析して角膜形状データを取得するように機能する。
【０１９８】
評価部３０４０は、眼科装置１０００の評価部１０４０と同様のデータ処理（眼科装置２０００の評価部２２３１と同様のデータ処理）を実行するように構成されており、解析部３０３０により生成された角膜形状データと、記憶部３０１０に記憶されている設計データ３０１５とに基づいて、当該眼に対する当該オルソＫレンズの装着状態の評価を実行するように機能する。
【０１９９】
制御部３０５０は、眼科情報処理装置３０００の各部を制御する。制御部３０５０は、制御プログラムにしたがって動作するプロセッサを含む。
【０２００】
このように構成された眼科情報処理装置３０００によれば、他の眼科装置により取得された眼の撮影画像に基づいて、オルソＫレンズの装着位置の適否判定を自動で行うことができる。したがって、周辺視野の屈折状態がどのようになっているか（つまり、夜間にオルソＫレンズが適切な位置に装着されていたか否か）の判断材料や、期待された屈折矯正効果が実際に得られているか否かの判断材料を、ユーザ（医師等）に提供することが可能である。
【０２０１】
例示的態様において、眼科情報処理装置３０００をネットワーク上に設置し、複数の眼科装置からの撮影画像を処理可能に構成することができる。これにより、各眼科装置にオルソＫレンズ評価機能を設けることなく、眼科情報処理装置３０００が評価処理を集中的に（一元的に）行うことができる。この構成によれば、オルソＫレンズの装着状態の評価サービスを広く提供することが可能になる。
【０２０２】
このような眼科情報処理装置３０００に対して、例示的態様に係る眼科装置（１０００、２０００）に関して説明された事項のいずれかを組み合わせることが可能である。
【０２０３】
例示的態様は、記憶部とプロセッサとを含む眼科情報処理装置を制御する方法を提供することができる。例えば、眼科情報処理装置３０００は、（１以上の）プロセッサを含んでいる。眼科装置２０００のコンピュータ９も同様である。
【０２０４】
例示的態様に係る制御方法は、第１の制御ステップにおいて、オルソＫレンズの設計データを記憶部に格納するようにプロセッサを制御する。第２の制御ステップにおいて、眼の角膜形状データを取得するために、オルソＫレンズを外した後の当該眼の撮影画像を解析するようにプロセッサを制御する。第３の制御ステップにおいて、第２の制御ステップで取得された角膜形状データと、記憶部に記憶されている設計データとに基づいて、当該眼に対する当該オルソＫレンズの装着状態の評価を実行するようにプロセッサを制御する。
【０２０５】
このような眼科情報処理装置の制御方法に対して、例示的態様に係る眼科装置に関して説明された事項のいずれかを組み合わせることが可能である。また、このような眼科情報処理装置の制御方法に対して、例示的態様に係る眼科情報処理装置に関して説明された事項のいずれかを組み合わせることが可能である。
【０２０６】
例示的態様に係る制御方法をコンピュータに実行させるプログラムを提供することができる。このプログラムに対して、例示的態様に係る眼科装置に関して説明された事項のいずれかを組み合わせることが可能である。また、このプログラムに対して、例示的態様に係る眼科情報処理装置に関して説明された事項のいずれかを組み合わせることが可能である。
【０２０７】
このようなプログラムを記録したコンピュータ可読な非一時的記録媒体を作成することが可能である。この記録媒体に対して、例示的態様に係る眼科装置に関して説明された事項のいずれかを組み合わせることが可能である。また、この記録媒体に対して、例示的態様に係る眼科情報処理装置に関して説明された事項のいずれかを組み合わせることが可能である。この非一時的記録媒体は任意の形態であってよく、その例として、磁気ディスク、光ディスク、光磁気ディスク、半導体メモリなどがある。
【０２０８】
例示的態様に係る制御方法、プログラム、又は記録媒体によれば、オルソＫレンズの装着位置の適否判定をコンピュータに実行させることが可能になる。それにより、周辺視野の屈折状態がどのようになっているか（つまり、夜間にオルソＫレンズが適切な位置に装着されていたか否か）の判断材料や、期待された屈折矯正効果が実際に得られているか否かの判断材料を、コンピュータからユーザ（医師等）に直接的に又は間接的に提供することが可能になる。
【０２０９】
以上に説明した幾つかの態様は、この発明の実施態様の例示に過ぎない。したがって、この発明の要旨の範囲内における任意の変形（省略、置換、付加等）を施すことが可能である。
【符号の説明】
【０２１０】
１０００  眼科装置
１０１０  記憶部
１０１５  設計データ
１０２０  角膜形状測定部
１０３０  特定部位検出部
１０４０  評価部
２０００  眼科装置
５  前眼部観察系
２１２  記憶部
２１２１  設計データ
２２１  眼屈折力算出部
２２３１  評価部
３０００  眼科情報処理装置
３０１０  記憶部
３０１５  設計データ
３０２０  画像受付部
３０３０  解析部
３０４０  評価部
【図１】
2020162914.tif 000003
【図２】
2020162914.tif 000004
【図３】
2020162914.tif 000005
【図４】
2020162914.tif 000006
【図５】
2020162914.tif 000007
【図６】
2020162914.tif 000008
【図７】
2020162914.tif 000009
【図８】
2020162914.tif 000010